(57)【要約】【課題】内容が同じでサイズの異なる複数のＷｅｂ画像をＷｅｂサイトに掲載する際に、Ｗｅｂサーバーの設置コストやＷｅｂページの制作コストを抑えるとともに、ブラウザ端末において高画質なＷｅｂ画像を軽快に表示させる。【解決手段】Ｗｅｂサーバーは、ブラウザ端末に画像データ指定情報とサイズ特定情報とを画像変換サーバーに与える旨が記載された文書整形データを返送するステップを実行し、画像変換サーバーは、アクセスしてきたブラウザ端末から画像データ指定情報とサイズ特定情報とを取得するステップと、指定された原画データを画像データ記憶部から取り出すステップと、ブラウザ端末におけるＷｅｂ画像の表示サイズをサイズ特定情報に基づいて設定するステップと、原画データを設定された表示サイズの表示画像データに変換するステップと、表示画像データをブラウザ端末に送付するステップとを実行するＷｅｂ画像の表示制御方法とした。【選択図】　　　図３
2004013297.tif 000002
【特許請求の範囲】
【請求項１】
Ｗｅｂページに掲載されるＷｅｂ画像の表示制御方法であって、
Ｗｅｂサーバーは、アクセスしてきたブラウザ端末から所定のＷｅｂページの送付要求を受け取ると、当該Ｗｅｂページに掲載されるＷｅｂ画像の表示制御命令文として画像データ指定情報とサイズ特定情報とを画像変換サーバーに与える旨が記載された文書整形データを返送するステップを実行し、
画像変換サーバーは、前記文書整形データを解釈したブラウザ端末がアクセスしてくると、
前記画像データ指定情報と前記サイズ特定情報とを取得する画像定義情報取得ステップと、
当該画像データ指定情報に基づいてＷｅｂ画像の生成起源となる原画データを画像データ記憶部から取り出す画像取得ステップと、
前記ブラウザ端末におけるＷｅｂ画像の表示サイズを前記サイズ特定情報に基づいて設定する表示サイズ設定ステップと、
前記原画データを当該サイズ設定ステップにより設定された表示サイズのＷｅｂ画像に相当する表示画像データに変換する画像変換ステップと、
当該表示画像データを前記ブラウザ端末に送付する画像転送ステップと、
を実行することを特徴とするＷｅｂ画像の表示制御方法。
【請求項２】
請求項１において、前記文書整形データには、ブラウザ端末における回線速度を特定するための回線情報を画像変換サーバーに送付する旨の情報が含まれ、前記画像定義情報ステップでは当該回線情報を取得し、前記画像変換ステップでは前記表示画像データを当該回線情報に基づいて特定されるデータ量に調整する特徴とするＷｅｂ画像の表示制御方法。
【請求項３】
請求項１において、前記Ｗｅｂ画像の表示制御命令文に修飾表現の特定情報を画像変換サーバーに与える旨を記載しておき、前記画像定義情報取得ステップでは、当該修飾表現の特定情報を取得し、前記画像変換ステップでは、前記原画データを当該特定情報に基づいた修飾表現が付加された前記表示画像データに変換することを特徴とするＷｅｂ画像の表示制御方法。
【請求項４】
請求項１〜３のいずれかにおいて、前記文書整形データ中には、ブラウザ端末にて所定の情報をユーザ入力するための記入欄が含まれ、前記Ｗｅｂ画像の表示制御命令文には、当該記入欄に入力された情報を前記画像定義情報取得ステップにより取得される情報として前記画像変換サーバーに与える旨が記載されていることを特徴とするＷｅｂ画像の表示制御方法。
【請求項５】
Ｗｅｂサーバーとして機能するコンピュータであって、
Ｗｅｂページを構成する各種オブジェクトの生成起源となるデータを格納したデータ記憶部と、
アクセスしてきたブラウザ端末から所定のＷｅｂページの送付要求を受け取ると、当該Ｗｅｂページに掲載されるＷｅｂ画像の表示制御命令文として画像データ指定情報とサイズ特定情報とを当該Ｗｅｂサーバー上で稼働する所定のプログラムに与える旨が記載された文書整形データを返送する手段と、
前記文書整形データを解釈したブラウザ端末が送付してきた前記画像データ指定情報と前記サイズ特定情報と取得する画像定義情報取得手段と、
前記画像データ指定情報に基づいてＷｅｂ画像の生成起源となる原画データを前記データ記憶部より取り出す画像取得手段と、
前記ブラウザ端末におけるＷｅｂ画像の表示サイズを前記サイズ特定情報に基づいて設定する表示サイズ設定手段と、
前記原画データを当該サイズ設定手段により設定された表示サイズのＷｅｂ画像に相当する表示画像データに変換する画像変換手段と、
当該表示画像データを前記ブラウザ端末に送付する画像転送手段と、
を備えたことを特徴とするＷｅｂ画像表示制御装置。
【請求項６】
請求項５において、アクセスしてきたブラウザ端末が前記サイズ特定情報として回線速度を特定するための回線情報が含まれた情報を送付してくると、前記画像変換手段は、前記表示画像データのデータ量を前記原画データを当該回線情報に基づいて特定されるデータ量に調整することを特徴とするＷｅｂ画像表示制御装置。
【請求項７】
請求項５において、アクセスしてきたブラウザ端末が前記サイズ特定情報とともに修飾表現の特定情報を送付してくると、前記画像定義情報取得手段がこの修飾表現の特定情報を取得し、前記画像変換手段は、前記原画データを当該特定情報に基づいた修飾表現が付加された前記表示画像データに変換することを特徴とするＷｅｂ画像表示制御装置。
【発明の詳細な説明】
【０００１】
【発明の属する技術分野】
この発明は、ブラウザ端末にて表示されるＷｅｂページに掲載されるＷｅｂ画像の表示サイズを制御するための方法と装置に関する。
【０００２】
【発明の背景】
Ｗｅｂページの生成起源となる文書整形データは、ＨＴＭＬなどのマークアップ言語によって記述されている。文書整形データには、タグと呼ばれる所定の書式に則った制御命令文が記載され、この命令文中にＷｅｂページに掲載される画像（Ｗｅｂ画像）やバックグランドで出力される音声などの生成起源となるデータについての格納場所やファイル名を指定したＵＲＬが記載されている。
【０００３】
Ｗｅｂサーバーは、Ｗｅｂページを構成する各種オブジェクト（文書整形データ、画像データ、音声データなど）をデータベースに蓄積・管理し、ブラウザを実装しているコンピュータ（ブラウザ端末）がＵＲＬを指定してアクセスしてくると該当のオブジェクトをこの端末に返送する。
【０００４】
ブラウザ端末にてＷｅｂページが閲覧可能に表示される過程としては、まず、ブラウザ端末がＷｅｂサーバーから取り寄せた文書整形データを解釈実行し、Ｗｅｂページの骨格となる文書を表示する。つぎに、その文書中に挿入される画像や音声などのオブジェクトを制御命令文中に記載されているＵＲＬに基づいて別途取り寄せる。そして、先に表示した文書中に取り寄せたオブジェクトを挿入してＷｅｂページを表示出力する。オブジェクトが音声である場合は、Ｗｅｂページを表示出力しながらその音声を出力するための処理を実行する。もちろん、Ｗｅｂページ中に挿入されるオブジェクトが必ずしも文書整形データと同じＷｅｂサーバーから送達されるとは限らない。ある文書整形データ中に他のＷｅｂサーバーにあるオブジェクトのＵＲＬを記載しておけば、このオブジェクトが別のＷｅｂサーバーから送達されてＷｅｂページ中に挿入表示される。
【０００５】
ところで、同じＷｅｂサイト内には１つのＷｅｂページ中、あるいは複数のＷｅｂページ中に、サイズが異なるだけで同じ内容の画像が何度も使われることがある。例えば、ある電子商店のＷｅｂサイトのホームページに、取り扱い商品リストとして、多数の商品の画像見本（サムネイル）が掲載されているとする。このページ上の各サムネイルの掲載位置には、該当商品についての詳細な説明が記載されているＷｅｂページへのハイパーリンク（リンク）が設定されている。ブラウザ端末にてこのリンクを指定して詳細説明ページを取り寄せると、そのページには、商品の価格や仕様などの詳細説明文とともに、サムネイルより画素数の大きな商品画像が掲載されている。詳細説明ページの商品画像にはさらに画像数の大きな拡大画像へのリンクが設定されていて、ブラウザ端末にて商品画像部分を指示すると商品の拡大画像を掲載したＷｅｂページが表示される。なお、拡大画像を掲載するＷｅｂページには、文書整形データを含まず、画像の生成起源となる画像データだけがＷｅｂサーバーから送達されてブラウザ端末により表示出力されただけのものもある。
【０００６】
このように、Ｗｅｂサイト内で同じ内容でサイズだけが異なる複数の画像をブラウザ端末に選択的に表示させたい場合、その表示制御方法には、概ね以下の２つの方法がある。
（１）Ｗｅｂサーバーに、Ｗｅｂサイト内で使用される全Ｗｅｂ画像について、それぞれの生成起源となる画像データ（原画データ）を格納しておく。すなわち、同じ内容でもサイズが異なれば個別に原画データを用意しておく。そして、文書整形データには同じ内容であってもサイズに応じて異なる原画データが指定されるようにＵＲＬを記載しておく。
（２）同じ内容のＷｅｂ画像については１つの原画データを用意しておき、文書整形データにおけるＷｅｂ画像を表示するための制御命令文中に、表示時の画素数や原画データに対する縦横比などによって表示サイズを指定する旨の情報を記載しておく。そして、ブラウザ端末側でＷｅｂサーバーから送達された原画データをこの指定情報に基づいた表示サイズの画像データに変換する。
【０００７】
（１）の方法は、Ｗｅｂページの制作者が意図した大きさのＷｅｂ画像毎に原画データが存在する。同じ画像内容であっても、サイズが異なれば、異なる原画データを個別に用意しなければならない。したがって、Ｗｅｂサイトに多くの画像を掲載しようとすれば、原画データを格納するための記憶装置も大容量のものが必要となる。また、Ｗｅｂページの制作者が意図したＷｅｂページのデザインに対してＷｅｂ画像のサイズが適正でなければ、再度サイズの異なる原画データを作成し直さなければなならい。Ｗｅｂ画像のＵＲＬを記述する際にも、原画データの格納場所やファイル名を間違う可能性が高くなる。そのため、間違った大きさのＷｅｂ画像や内容の異なるＷｅｂ画像が表示されたり、原画データ自体が存在せずブラウザ端末で非表示状態になったりする。
【０００８】
（２）の方式は、元々、ある表示サイズ（基本サイズ）に設定されている原画データをブラウザ端末側で処理して実際の表示サイズに変更することになる。そのため、ブラウザ端末における画像処理に掛かる負荷が大きくなる。ブラウザ端末の性能が低ければ、画像が表示されるまでに多くの時間が掛かり、Ｗｅｂページの閲覧者にとっては苦痛となる。また、基本サイズが大きければ、当然その生成起源となる原画データのデータ量も大きく、画像処理に掛かる時間に加え、原画データの転送自体にも長い時間が掛かる。この転送速度はブラウザ端末における回線速度にも左右され、高性能なブラウザ端末であっても回線速度が遅ければ、やはり画像データの転送に長い時間が掛かる。一方、基本サイズの小さな原画データであればデータ転送時間は短くなるが、表示サイズを拡大する場合には、原画データに含まれる画素数が少ないため、表示されたＷｅｂ画像の画質が劣化する。
【０００９】
【発明の開示】
本発明は、Ｗｅｂページに内容が同じでサイズの異なる複数のＷｅｂ画像を掲載する際の各種問題点に鑑み成されたもので、その目的は、画像データの格納容量を減少させてＷｅｂサーバーの設置コストを抑え、Ｗｅｂサイトの設計者にとっては、容易に画像データへのリンクが設定できるともに画像サイズも自由に変更でき、Ｗｅｂページ閲覧者にとっては、高画質なＷｅｂ画像を快適に閲覧できるＷｅｂ画像の表示制御方法と装置とを提供することにある。
【００１０】
上記目的を達成するための本発明は、Ｗｅｂページに掲載されるＷｅｂ画像の表示制御方法であって、Ｗｅｂサーバーは、アクセスしてきたブラウザ端末から所定のＷｅｂページの送付要求を受け取ると、当該Ｗｅｂページに掲載されるＷｅｂ画像の表示制御命令文として画像データ指定情報とサイズ特定情報とを画像変換サーバーに与える旨が記載された文書整形データを返送するステップを実行し、画像変換サーバーは、前記文書整形データを解釈したブラウザ端末がアクセスしてくると、前記画像データ指定情報と前記サイズ特定情報とを取得する画像定義情報取得ステップと、当該画像データ指定情報に基づいてＷｅｂ画像の生成起源となる原画データを画像データ記憶部から取り出す画像取得ステップと、前記ブラウザ端末におけるＷｅｂ画像の表示サイズを前記サイズ特定情報に基づいて設定する表示サイズ設定ステップと、前記原画データを当該サイズ設定ステップにより設定された表示サイズのＷｅｂ画像に相当する表示画像データに変換する画像変換ステップと、当該表示画像データを前記ブラウザ端末に送付する画像転送ステップとを実行することとしている。
【００１１】
上記発明には種々の変更形態や応用形態があり、以下に示す各形態も本発明の範囲とする。
前記文書整形データには、ブラウザ端末における回線速度を特定するための回線情報を画像変換サーバーに送付する旨の情報が含まれ、前記画像定義情報ステップでは当該回線情報を取得し、前記画像変換ステップでは前記表示画像データを当該回線情報に基づいて特定されるデータ量に調整するＷｅｂ画像の表示制御方法。
【００１２】
前記Ｗｅｂ画像の表示制御命令文に修飾表現の特定情報を画像変換サーバーに与える旨を記載しておき、前記画像定義情報取得ステップでは、当該修飾表現の特定情報を取得し、前記画像変換ステップでは、前記原画データを当該特定情報に基づいた修飾表現が付加された前記表示画像データに変換するＷｅｂ画像の表示制御方法。
【００１３】
また上記各表示制御方法のいずれかにおいて、前記文書整形データ中には、ブラウザ端末にて所定の情報をユーザ入力するための記入欄が含まれ、前記Ｗｅｂ画像の表示制御命令文には、当該記入欄に入力された情報を前記画像定義情報取得ステップにより取得される情報として前記画像変換サーバーに与える旨が記載されているＷｅｂ画像の表示制御方法としてもよい。
【００１４】
本発明にはＷｅｂ画像表示制御装置も含まれ、Ｗｅｂサーバーとして機能するコンピュータであって、Ｗｅｂページを構成する各種オブジェクトの生成起源となるデータを格納したデータ記憶部と、アクセスしてきたブラウザ端末から所定のＷｅｂページの送付要求を受け取ると、当該Ｗｅｂページに掲載されるＷｅｂ画像の表示制御命令文として画像データ指定情報とサイズ特定情報とを当該Ｗｅｂサーバー上で稼働する所定のプログラムに与える旨が記載された文書整形データを返送する手段と、前記文書整形データを解釈したブラウザ端末が送付してきた前記画像データ指定情報と前記サイズ特定情報と取得する画像定義情報取得手段と、前記画像データ指定情報に基づいてＷｅｂ画像の生成起源となる原画データを前記データ記憶部より取り出す画像取得手段と、前記ブラウザ端末におけるＷｅｂ画像の表示サイズを前記サイズ特定情報に基づいて設定する表示サイズ設定手段と、前記原画データを当該サイズ設定手段により設定された表示サイズのＷｅｂ画像に相当する表示画像データに変換する画像変換手段と、当該表示画像データを前記ブラウザ端末に送付する画像転送手段とを備えたＷｅｂ画像表示制御装置としている。
【００１５】
上記表示制御装置にも種々の変更形態・応用形態があり、以下の表示制御装置も本発明の範囲である。
アクセスしてきたブラウザ端末が前記サイズ特定情報として回線速度を特定するための回線情報が含まれた情報を送付してくると、前記画像変換手段は、前記表示画像データのデータ量を前記原画データを当該回線情報に基づいて特定されるデータ量に調整するＷｅｂ画像表示制御装置。
【００１６】
アクセスしてきたブラウザ端末が前記サイズ特定情報とともに修飾表現の特定情報を送付してくると、前記画像定義情報取得手段がこの修飾表現の特定情報を取得し、前記画像変換手段は、前記原画データを当該特定情報に基づいた修飾表現が付加された前記表示画像データに変換するＷｅｂ画像表示制御装置。
【００１７】
【発明の実施の形態】
図１は、本発明の実施例におけるＷｅｂ画像の表示制御方法が適用されるネットワーク構成図を示している。本実施例では、インターネットにＷｅｂサーバー３とブラウザ端末５と画像変換サーバー１とが接続されている。
Ｗｅｂサーバー３に付帯するデータ記憶部４には、Ｗｅｂサイトを構成する各種オブジェクトのうち、Ｗｅｂ画像以外の生成起源となるデータが格納されている。Ｗｅｂページを記述する文書整形データには、Ｗｅｂページに各種オブジェクトを挿入するための制御命令文やそのオブジェクトへのリンクを設定するための制御命令文が記載されている。Ｗｅｂ画像に関する制御命令文については、その画像の生成起源となる原画データを、Ｗｅｂサーバー３ではなく、画像変換サーバー１から取り寄せる旨が記載されており、原画データは画像変換サーバー１に付帯する画像データ記憶部２に格納されている。
【００１８】
本実施例において、Ｗｅｂ画像に関する制御命令文には、原画データの指定情報となる画像変換サーバー１内のデータ格納位置（画像データ記憶部２におけるディレクトリなど）と原画データのファイル名とに加え、Ｗｅｂ画像の表示サイズを特定するための情報（サイズ特定情報）を画像変換サーバー１に与える旨のＵＲＬが記載されている。図２にこのＵＲＬの概略構造図を示した。画像データの転送プロトコル「ｈｔｔｐ：／／」に続いて、画像変換サーバー名「ｅｓｗｉｔｃｈ．ｙａｈｏｏ．ｃｏ．ｊｐ／」と原画データファイルの格納位置「ｓｔ６．ｙａｈｏｏ．ｃｏ．ｊｐ／Ｉ／」とそのファイル名「ｈｅａｒｔ＿１０００／」とが画像データ指定情報として記載され、サイズ特定情報として、画像変換サーバー１に画素数を指定するための縦横のドット数を引数として与える旨「＆ｓｉｚｅ＝１２０ｘ１５０」が記載されている。またこの例では、Ｗｅｂ画像に所定の修飾表現を加える旨（修飾表現特定情報）「＆ｗａｋｕ＝ｙｅｓ／」も記載されている。ここでは、Ｗｅｂ画像を枠で囲う修飾表現を加える旨が修飾表現特定情報として記載されている。
【００１９】
図３は本実施例の表示制御方法に従ってＷｅｂページがブラウザ端末５に表示されるまでの手順図を示している。まず、ブラウザ端末５がＵＲＬを指定してＷｅｂサーバー３にアクセスして所定のＷｅｂページの文書整形データを取り寄せる（ｓ１，ｓ２）。ブラウザ端末５がこの文書整形データを解釈実行すると（ｓ３）、Ｗｅｂ画像以外のオブジェクトについては再度Ｗｅｂサーバー３から取り寄せる（ｓ４，ｓ５）。Ｗｅｂ画像については画像変換サーバー１から取り寄せることになる。
【００２０】
本実施例の画像変換サーバー１は、Ｗｅｂサーバーとしての基本機能を備えているとともに、専用のハードウエアやソフトウエアを実装して高度な画像データ処理機能を備えている。そして、付帯する画像データ記憶部２より取り出した原画データを処理してその表示サイズを変換する。本実施例では、Ｗｅｂサイト中で内容が同じでサイズが異なる複数のＷｅｂ画像が使用される場合、画像変換サーバー１は該当する１つの原画データを対象として処理し、画素数がブラウザ端末上で実際に表示されるＷｅｂ画像と等しい画像データ（表示画像データ）に変換する。
【００２１】
画像変換サーバー１は、ブラウザ端末５が前記文書整形データ中のＷｅｂ画像に関する制御命令文に基づいてアクセスしてくると、この命令文中のＵＲＬに従ってブラウザ端末５が送付する画像データ指定情報とサイズ特定情報と修飾表現特定情報とを取得する（ｓ６，ｓ７）。そして、指定の原画データを画像データ記憶部２より取り出し、サイズ特定情報と修飾表現特定情報とに基づいてこの原画データを処理する。このとき、原画データを基本サイズからサイズ特定情報に従った表示サイズとなるように処理するとともに、サイズ変換された画像データにさらに指定の修飾表現を加えて表示画像データに変換する。そして、この表示画像データをブラウザ端末５に返送する（ｓ８，ｓ９）。
【００２２】
ブラウザ端末５は、画像変換サーバー１より返送された表示画像データをＷｅｂページ中の所定の位置に挿入して表示する（ｓ１０）。なお、Ｗｅｂページ中にＷｅｂ画像自体を取り寄せる旨のリンクが設定されていれば、ブラウザ端末５にてこのリンクが指示されると、画像変換サーバー１は、Ｗｅｂページに挿入されるＷｅｂ画像と同様に、該当する原画データを指定の表示サイズで指定の修飾表現が付加された表示画像データに変換してブラウザ端末５に返送する。
【００２３】
なお、画像変換サーバーの構成や形態は本実施例に限らず、例えば、ＷｅｂサーバーにおけるＣＧＩなどのプログラムによっても実現することができる。Ｗｅｂサイトを構成する全オブジェクトを同じデータ記憶部に格納すれば、このデータ記憶部が画像データ記憶部となる。
【００２４】
本実施例では、サイズ特定情報によって表示画像データの画素数を指定していたが、データ量も併せて指定してもよい。周知のデータ圧縮技術やデータ補間技術あるいは画像フォーマットの変換技術により、画素数を変えずにデータ量だけを変更することは容易であり、例えば、原画データを指定の表示サイズで指定のデータ量の表示画像データに変換すれば、Ｗｅｂ画像の表示サイズに加え画質を制御することも可能となる。
【００２５】
本実施例では、サイズ特定情報はＷｅｂページの制作者によってあらかじめ決められている。この例に限らず、Ｗｅｂページ中に画素数やデータ量などを記入するためのフォームを含めておき、ブラウザ端末にてこのフォームに入力された情報をサイズ特定情報として画像変換サーバーに送付すれば、Ｗｅｂページの閲覧者側でＷｅｂ画像の表示サイズや画質を指定することができる。また、データ量が指定すれば、閲覧者側で画像データの転送時間や表示時間も調整することができる。
【００２６】
ブラウザ端末の回線速度に応じて表示画像データのデータ量を適切に調整すれば、ブラウザ端末側で快適にＷｅｂページを閲覧することができる。画像変換サーバーが回線速度を取得するためには、データ量自体に代えて回線速度を記入するためのフォームをＷｅｂページに含めておけばよい。あるいは、回線速度の測定プログラムを、ＪａｖａスクリプトなどによってＷｅｂページ中に記載したり、ＪａｖａアプレットとしてＷｅｂページとともにブラウザ端末に送付したりするなどして、文書整形データ中の情報として含ませておけばよい。一般的に、回線速度は、所定のデータ量のパケットを通信相手のコンピュータに送付するのに要した時間に基づいて取得することができる。したがって、回線速度の測定プログラムは、所定のデータ量のパケットを画像変換サーバーに送付させる旨が記述されていればよい。そして、画像変換サーバーがそのパケットが送達されるまでに掛かった時間に基づいて回線速度を計算するとともに、あらかじめ設定されている回線速度とデータ量との対応関係に基づい表示画像データのデータ量を決定し、原画データを指定の表示サイズとこのデータ量の表示画像データに変換すればよい。
【００２７】
会員制のＷｅｂサイトであれば、回線速度に関する情報としてブラウザ端末のネットワーク接続環境（モデム５６ｋｂｐｓ，ＩＳＤＮ，ＡＤＳＬ１．５Ｍｐｂｓなど）を事前に画像変換サーバーに登録しておくこともできる。例えば、ブラウザ端末が画像変換サーバーにアクセスする際、周知のＣｏｏｋｉｅによって会員を特定するためのＩＤなど送付することとし、画像変換サーバーは、ブラウザ端末から受け取ったＩＤに該当する会員についての登録情報からブラウザ端末の回線速度を取得する。
【００２８】
【発明の効果】
本発明のＷｅｂ画像の表示制御方法によれば、同じ内容で表示サイズが異なる複数のＷｅｂ画像をブラウザ端末にて表示する際、画像変換サーバーが特定の原画データを使って表示サイズの異なる複数のＷｅｂ画像の表示画像データを生成し、この表示画像データをブラウザ端末に転送することができる。そのため、画像データの格納容量が減少しＷｅｂサーバーの設置コストを減少させる。
【００２９】
また、Ｗｅｂサイトの設計者にとっては容易に原画データへのリンクが設定でき、表示サイズも自由に変更することできる。そのため、Ｗｅｂサイトの設計や制作に係わるコストを抑えることができる。
【００３０】
高度で負荷の大きな画像変換処理を画像変換サーバーが実行するため、ブラウザ端末においてＷｅｂ画像を軽快に表示させることができる。表示画像データの画素数を表示サイズと連動させることができ、拡大画像であっても高画質で表示させることができる。
【図面の簡単な説明】
【図１】本発明の実施例におけるＷｅｂ画像の表示制御方法が適用されるネットワーク構成図である。
【図２】上記実施例において、文書整形データ中に記載されているＷｅｂ画像を取り寄せる旨のＵＲＬの構造図である。
【図３】上記実施例において、Ｗｅｂ画像が挿入されたＷｅｂページがブラウザ端末にて表示されるまでの手順図である。
【符号の説明】
１　画像変換サーバー
２　画像データ記憶部
３　Ｗｅｂサーバー
５　ブラウザ端末
【図１】
2004013297.tif 000003
【図２】
2004013297.tif 000004
【図３】
2004013297.tif 000005